(57)【要約】      （修正有）【課題】  核磁気モーメントがＡの場合、その磁気の光子のエネルギーはどのようにできたのか。陽子のラブの自転はどれ位で、１自転で、どれだけの磁気の光子ができたのか。中性子の電子のラブの自転はどれ位で、１自転で、どれだけの磁気の光子ができたのか。中性子において、陽子のラブの公転軌道と電子のラブの公転軌道はどのようになっているのか。【解決手段】  核磁気モーメントがＡの場合、１ｍの軌道に於いて、１秒間の磁気の光子の運動量＝５．０５×１０−３５Ｊ×Ａ×１ｍです。１秒間にできる磁気の光子のエネルギー＝ラブの質量×８×１０−７×秒速÷３．１４です。ラブが１自転してできる磁気の光子１個のエネルギー＝５．０５×１０−３５Ｊ×Ａ×１ｍ÷秒速×３．１４です。自転軌道＝５．０５×１０−３５Ｊ×Ａ×１ｍ÷（ラブの質量×８×１０−７×秒速÷３．１４）です。これらの式から求める事ができる。中性子において、陽子のラブの公転軌道と電子のラブの公転軌道は、ＹｂやＨｆやＨｇの＋Ａと−Ａから求められる。【選択図】図１
2006081386.tif 000002
【特許請求の範囲】
【請求項１】
本発明者は、２００５年６月８日に提出した特許願、「中性子と素粒子２」の２９番で、陽子の核磁気モーメントを０．７とすると、中性子の核磁気モーメントはいくらか。
陽子のラブが１自転してできる磁気の光子１個のエネルギーは、８×１０−３８Ｊです。
陽子の核磁気モーメントを０．７とします。と記した。これは誤りです。
核磁気モーメントの単位は核磁子であるからです。
１自転でできる磁気の光子１個のエネルギー８×１０−３８Ｊは、１ｍの軌道で、１秒間にできる磁気の光子の１０８倍の東のエネルギーは５．３６×１０−２７Ｊ／Ｔです。
核磁子は５．０５０８×１０−２７Ｊ／Ｔですから、５．３６×１０−２７Ｊ／Ｔは、
５．３６×１０−２７Ｊ÷（５．０５×１０−２７Ｊ）＝１．０６核磁気モーメントです。
【請求項２】
本発明者は、２００５年６月８日に提出した特許願、「中性子と素粒子２」の２２番で、中性子の陽子のラブと電子のラブは、まるで、車の軸と車輪のように一緒になって自転し、公転します。と記した。これは誤りです。
原子の中で、電子のラブの速度は変わらない。
電子のラブの速度は速く、陽子のラブの速度は遅い。
【請求項３】
マイナスの核磁気モーメントは、中性子の電子のラブの自転によってできる。マイナスの磁気モーメントが大きいのは、中性子の電子のラブの自転速度が速いからです。
中性子の電子のラブの秒速は、原子の中の電子のラブの秒速に等しい。
中性子の電子のラブの秒速は、４×１０６ｍです。
中性子の陽子のラブの秒速は、原子の中の陽子のラブの秒速に等しい。
中性子の陽子のラブの秒速は、２×１０３ｍです。
それで、電子のラブの１秒間の自転数は、
４×１０６ｍ÷（電子のラブの自転軌道×３．１４）です。
陽子のラブの１秒間の自転数は、
２×１０３ｍ÷（陽子のラブの自転軌道×３．１４）です。
【請求項４】
核磁気モーメントが＋−Ａの場合、ラブが１回自転してできる磁気の光子１個のエネルギーはいくらか。ラブの自転軌道はいくらか。１秒間の磁気の光子の運動量はいくらか。
本発明者が、２００５年６月８日に提出した特許願、「中性子と素粒子２」の１９番により、できる磁気の光子１個のエネルギー＝ラブの質量エネルギー×自転軌道×８×１０−７です。
これは、詳しく表現すると、
ラブが１自転してできる磁気の光子１個のエネルギー＝ラブの質量エネルギー×自転軌道×８×１０−７です。
そして、
１秒間の自転数＝秒速÷（３．１４×自転軌道）
軌道１ｍに於ける、１秒間の運動量＝５．０５×１０−２７Ｊ÷１０８×Ａ×１ｍ＝５．０５×１０−３５Ｊ×Ａ×１ｍです。
それで次の式が成立します。
▲１▼
１秒間にできる磁気の光子のエネルギー
＝ラブが１自転してできる磁気の光子１個のエネルギー×１秒間の自転数
＝ラブが１自転してできる磁気の光子１個のエネルギー×秒速÷（３．１４×自転軌道）
＝ラブの質量エネルギー×自転軌道×８×１０−７×秒速÷（３．１４×自転軌道）
＝ラブの質量エネルギー×８×１０−７×秒速÷３．１４
▲２▼
１秒間の運動量
＝ラブが１自転してできる磁気の光子１個のエネルギー×自転軌道×１秒間の自転数
＝ラブが１自転してできる磁気の光子１個のエネルギー×自転軌道×秒速÷（３．１４×自転軌道）
＝ラブが１自転してできる磁気の光子１個のエネルギー×秒速÷３．１４
＝５．０５×１０−３８Ｊ×Ａ×１ｍ
▲３▼
１秒間の自転数
＝秒速÷（３．１４×自転軌道）
▲４▼
ラブが１自転してできる磁気の光子１個のエネルギー
＝１秒間の運動量÷秒速×３．１４
＝５．０５×１０−３５Ｊ×Ａ×１ｍ÷秒速×３．１４
（即ち、ラブが１自転してできる磁気の光子１個のエネルギーは秒速に反比例する。）
▲５▼
１秒間にできる磁気の光子のエネルギー
＝ラブが１自転してできる磁気の光子１個のエネルギー×１秒間の自転数
＝ラブが１自転してできる磁気の光子１個のエネルギー×秒速÷（３．１４×自転軌道）
▲６▼
自転軌道
＝ラブが１自転してできる磁気の光子１個のエネルギー÷１秒間にできる磁気の光子のエネルギー×秒速÷３．１４
＝５．０５×１０−３５Ｊ×Ａ×１ｍ÷秒速×３．１４÷（ラブの質量エネルギー×８×１０−７×秒速÷３．１４）×秒速÷３．１４
＝５．０５×１０−３５Ｊ×Ａ×１ｍ÷（ラブの質量エネルギー×８×１０−７×秒速÷３．１４）
＝１．９８２×１０−２８Ｊ÷ラブの質量エネルギー÷秒速
（即ち、自転軌道はラブの質量エネルギーと秒速に反比例する。）
これらの式から、核磁気モーメントがＡの場合、ラブが１自転してできる磁気の光子１個のエネルギーとラブの自転軌道と１秒間の運動量を求める事ができる。
【請求項５】
核磁気モーメントが−Ａの場合、中性子の電子のラブが１自転してできる磁気の光子１個のエネルギーはいくらか。中性子の電子のラブの自転軌道はいくらか。
核磁気モーメントが＋Ａの場合、陽子のラブが１自転してできる磁気の光子１個のエネルギーはいくらか。陽子のラブの自転軌道はいくらか。
核磁気モーメントが−Ａで、中性子の電子のラブの場合。
電子のラブの質量エネルギーは８×１０−１４Ｊで、秒速は４×１０６ｍですから、
１秒間にできる磁気の光子のエネルギー
＝ラブの質量エネルギー×８×１０−７×秒速÷３．１４
＝８×１０−１４Ｊ×８×１０−７×４×１０６ｍ÷３．１４＝８．１５２８×１０−１４Ｊ
電子のラブが１自転してできる磁気の光子１個のエネルギー
＝５．０５×１０−３５Ｊ×Ａ×１ｍ÷秒速×３．１４
＝５．０５×１０−３５Ｊ×Ａ×１ｍ÷（４×１０６ｍ）×３．１４
＝３．９６４２５×１０−４１Ｊ×Ａ
自転軌道
＝ラブが１自転してできる磁気の光子１個のエネルギー÷１秒間にできる磁気の光子のエネルギー×秒速÷３．１４
＝３．９６４２５×１０−４１Ｊ×Ａ÷（８．１５２８×１０−１４Ｊ）×４×１０６ｍ÷３．１４
＝６．１９４１９×１０−２２ｍ×Ａ
核磁気モーメントが＋Ａで、陽子のラブの場合。
陽子のラブの質量エネルギーは１．５×１０−１０Ｊで、秒速は２×１０３ｍですから、
１秒間にできる磁気の光子のエネルギー
＝ラブの質量エネルギー×８×１０−７×秒速÷３．１４
＝１．５×１０−１０Ｊ×８×１０−７×２×１０３ｍ÷３．１４＝７．６４３×１０−１４Ｊ
陽子のラブが１自転してできる磁気の光子１個のエネルギー
＝５．０５×１０−３５Ｊ×Ａ×１ｍ÷秒速×３．１４
＝５．０５×１０−３５Ｊ×Ａ×１ｍ÷（２×１０３ｍ）×３．１４
＝７．９２８５×１０−３８Ｊ×Ａ
自転軌道
＝ラブが１自転してできる磁気の光子１個のエネルギー÷１秒間にできる磁気の光子のエネルギー×秒速÷３．１４
＝７．９２８５×１０−３８Ｊ×Ａ÷（７．６４３×１０−１４Ｊ）×２×１０３ｍ÷３．１４
＝６．６１×１０−２２ｍ×Ａ
即ち、中性子の電子のラブでできる核磁気モーメントが−Ａの場合、
１自転でできる磁気の光子１個のエネルギーは、
３．９６４２５×１０−４１Ｊ×Ａです。
自転軌道は、
６．１９４１９×１０−２２ｍ×Ａです。
即ち、陽子のラブでできる核磁気モーメントが＋Ａの場合、
１自転でできる磁気の光子１個のエネルギーは、
７．９２８５×１０−３８Ｊ×Ａです。
自転軌道は、
６．６１×１０−２２ｍ×Ａです。
【請求項６】
核磁子は５．０５×１０−２７Ｊ／Ｔです。この陽子のラブの大きさはいくらか。陽子のラブが１自転でできる磁気の光子１個のエネルギーはいくらか。１秒間の自転数はいくらか。陽子のラブの自転で１秒間にできる磁気の光子のエネルギーはいくらか。陽子のラブの自転で１秒間にできる磁気の光子の運動量はいくらか。
核磁子は５．０５×１０−２７Ｊ／Ｔです。この核磁気モーメントは１です。
Ａ＝１です。
陽子のラブでできる核磁気モーメントが１の場合、
１自転でできる磁気の光子１個のエネルギーは、
７．９２８５×１０−３８Ｊ×Ａ＝７．９２８５×１０−３８Ｊです。
自転軌道は、
６．６１×１０−２２ｍ×Ａ＝６．６１×１０−２２ｍです。
即ち、陽子のラブの自転は、６．６１×１０−２２ｍです。
陽子のラブの公転は、６．６１×１０−２２ｍ×１０８＝６．６１×１０−１４ｍです。
陽子の大きさは、陽子のラブの公転の大きさとみなす事ができますから、６．６１×１０−１４ｍです。
陽子のラブが１自転でできる磁気の光子１個のエネルギーは７．９２８５×１０−３８Ｊです。
１秒間の自転数は、
２×１０３ｍ÷（３．１４×６．６１×１０−２２ｍ）＝９．６３６×１０２３回です。
陽子のラブの自転で１秒間にできる磁気の光子のエネルギーは、
陽子のラブが１自転でできる磁気の光子１個のエネルギー×１秒間の自転数
＝７．９２８５×１０−３８Ｊ×９．６３６×１０２３回＝７．６４×１０−１４Ｊです。
陽子のラブの自転で１秒間にできる磁気の光子の運動量は、
陽子のラブが１自転でできる磁気の光子１個のエネルギー×自転軌道×１秒間の自転数
＝７．９２８５×１０−３８Ｊ×６．６１×１０−２２ｍ×９．６３６×１０２３回
＝５．０５×１０−３５Ｊ・ｍです。
陽子のラブの自転で、１秒間にできる磁気の光子の運動量は、
５．０５×１０−３８Ｊ×Ａ×１ｍ＝５．０５×１０−３８Ｊ・ｍです。
【請求項７】
中性子のスピンは１／２で、−１．９１３です。中性子電子のラブの公転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。
中性子の核磁気モーメントは−１．９１３です。
Ａ＝１．９１３です。
中性子の電子のラブが１自転でできる磁気の光子１個のエネルギーは、
３．９６４２５×１０−４１Ｊ×Ａ＝３．９６４２５×１０−４１Ｊ×１．９１３＝７．５８３×１０−４１Ｊです。
自転軌道は、
６．１９４１９×１０−２２ｍ×Ａ＝６．１９４１９×１０−２２ｍ×１．９１３＝１．１８５×１０−２１ｍです。
即ち、中性子の電子のラブの自転軌道は、１．１８５×１０−２１ｍです。
中性子の電子のラブの公転軌道は、１．１８５×１０−２１ｍ×１０８＝１．１８５×１０−１３ｍです。
中性子の大きさは、中性子の電子のラブの公転の大きさとみなす事ができますから、１．１８５×１０−１３ｍです。
１秒間の自転数は、
４×１０６ｍ÷（３．１４×１．１８５×１０−２１ｍ）＝１．０７５×１０２７回です。
中性子の電子のラブが１自転でできる磁気の光子１個のエネルギーは７．５８３×１０−４１Ｊです。
中性子の電子のラブの自転で１秒間にできる磁気の光子のエネルギーは、
中性子の電子のラブが１自転でできる磁気の光子１個のエネルギー×１秒間の自転数
＝７．５８３×１０−４１Ｊ×１．０７５×１０２７回＝８．１５１８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝７．５８３×１０−４１Ｊ×１．１８５×１０−２１ｍ×１．０７５×１０２７回
＝９．６６×１０−３５Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×１．９１３×１ｍ＝９．６６×１０−３５Ｊ・ｍです。
【請求項８】
マイナスの核磁気モーメントは１／２スピンで約−０．１から−０．２のものが多いです。この核磁気モーメントを作る中性子の電子のラブの自転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。
核磁気モーメントが−０．１の場合。
Ａ＝０．１です。
中性子の電子のラブが１自転でできる磁気の光子１個のエネルギーは、
３．９６４２５×１０−４１Ｊ×Ａ＝３．９６４２５×１０−４１Ｊ×０．１＝３．９６４２５×１０−４２Ｊです。
自転軌道は、
６．１９４１９×１０−２２ｍ×Ａ＝６．１９４１９×１０−２２ｍ×０．１＝６．１９４１９×１０−２３ｍです。
即ち、中性子の電子のラブの自転は、６．１９４１９×１０−２３ｍです。
中性子の電子のラブの公転は、６．１９４１９×１０−２３ｍ×１０８＝６．１９４１９×１０−１５ｍです。
１秒間の自転数は、
４×１０６ｍ÷（３．１４×６．１９４１９×１０−２３ｍ）＝２．０５６５８×１０２８回です。
中性子の電子のラブが１自転でできる磁気の光子１個のエネルギーは３．９６４２５×１０−４２Ｊです。
中性子の電子のラブの自転で１秒間にできる磁気の光子のエネルギーは、
中性子の電子のラブが１自転でできる磁気の光子１個のエネルギー×１秒間の自転数
＝３．９６４２５×１０−４２Ｊ×２．０５６５８×１０２８回＝８．１５２８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝３．９６４２５×１０−４２Ｊ×６．１９４１９×１０−２３ｍ×２．０５６５８×１０２８回
＝５．０５×１０−３６Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×０．１×１ｍ＝５．０５×１０−３６Ｊ・ｍです。
核磁気モーメントが−０．２の場合、
Ａ＝０．２です。
中性子の電子のラブが１自転でできる磁気の光子１個のエネルギーは、
３．９６４２５×１０−４１Ｊ×Ａ＝３．９６４２５×１０−４１Ｊ×０．２＝７．９２８５×１０−４２Ｊです。
自転軌道は、
６．１９４１９×１０−２２ｍ×Ａ＝６．１９４１９×１０−２２ｍ×０．２＝１．２３８８４×１０−２２ｍです。
即ち、中性子の電子のラブの自転軌道は、１．２３８８４×１０−２２ｍです。
中性子の電子のラブの公転軌道は、１．２３８８４×１０−２２ｍ×１０８＝１．２３８８４×１０−１４ｍです。
１秒間の自転数は、
４×１０６ｍ÷（３．１４×１．２３８８４×１０−２２ｍ）＝１．０２８２９×１０２８回です。
中性子の電子のラブが１自転でできる磁気の光子１個のエネルギーは７．９２８５×１０−４２Ｊです。
中性子の電子のラブの自転で１秒間にできる磁気の光子のエネルギーは、
中性子の電子のラブが１自転でできる磁気の光子１個のエネルギー×１秒間の自転数
＝７．９２８５×１０−４２Ｊ×１．０２８２９×１０２８回＝８．１５２８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝７．９２８５×１０−４２Ｊ×１．２３８８４×１０−２２ｍ×１．０２８２９×１０２８回
＝１．０１×１０−３５Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×０．２×１ｍ＝１．０１×１０−３５Ｊ・ｍです。
【請求項９】
プラスの核磁気モーメントの平均は１／２スピンで約＋０．７です。この核磁気モーメントを作る陽子のラブの自転軌道はいくらか。陽子の大きさはいくらか。陽子のラブが１自転でできる磁気の光子１個のエネルギーはいくらか。１秒間の自転数はいくらか。
陽子のラブの自転で１秒間にできる磁気の光子のエネルギーはいくらか。陽子のラブの自転で１秒間にできる磁気の光子の運動量はいくらか。
陽子のラブでできる核磁気モーメントが＋０．７の場合。
Ａ＝０．７です。
１自転でできる磁気の光子１個のエネルギーは、
７．９２８５×１０−３８Ｊ×Ａ＝７．９２８５×１０−３８Ｊ×０．７＝５．５５×１０−３８Ｊです。
自転軌道は、
６．６１×１０−２２ｍ×Ａ＝６．６１×１０−２２ｍ×０．７＝４．６２７×１０−２２ｍです。
即ち、陽子のラブの自転軌道は、４．６２７×１０−２２ｍです。
陽子のラブの公転軌道は、４．６２７×１０−２２ｍ×１０８−４．６２７×１０−１４ｍです。
陽子の大きさは、陽子のラブの公転の大きさとみなす事ができますから、４．６２７×１０−１４ｍです。
陽子のラブが１自転でできる磁気の光子１個のエネルギーは５．５５×１０−３８Ｊです。
１秒間の自転数は、
２×１０３ｍ÷（３．１４×４．６２７×１０−２２ｍ）＝１．３７６６×１０２４回です。
陽子のラブの自転で１秒間にできる磁気の光子のエネルギーは、
陽子のラブが１自転でできる磁気の光子１個のエネルギー×１秒間の自転数
＝５．５５×１０−３８Ｊ×１．３７６６×１０２４回＝７．６４×１０−１４Ｊです。
陽子のラブの自転で１秒間にできる磁気の光子の運動量は、
陽子のラブが１自転でできる磁気の光子１個のエネルギー×自転軌道×１秒間の自転数
＝５．５５×１０−３８Ｊ×４．６２７×１０−２２ｍ×１．３７６６×１０２４回
＝３．５３５×１０−３５Ｊ・ｍです。
陽子のラブの自転で、１ｍの軌道において、１秒間にできる磁気の光子の運動量は、
５．０５×１０−３５Ｊ×Ａ×１ｍですから、
５．０５×１０−３５Ｊ×０．７×１ｍ＝３．５３５×１０−３５Ｊ・ｍです。
【請求項１０】
中性子の電子のラブの公転軌道と、陽子のラブの公転軌道を比較し、どのような事が推察できるか。
核磁気モーメントが＋０．７の場合、陽子のラブの公転軌道は４．６２７×１０−１４ｍです。
核磁気モーメントが−０．１の場合、中性子の電子のラブの公転軌道は６．１９４１９×１０−１５ｍです。
核磁気モーメントが−０．２の場合、中性子の電子のラブの公転軌道は１．２３８８４×１０−１４ｍです。
この事から、中性子の電子のラブの公転軌道は陽子のラブの公転軌道より小さい。
それで、中性子は、陽子のラブの公転軌道の内側を、電子のラブは公転していると考えられる。
【請求項１１】
中性子の陽子のラブの公転軌道と、中性子の電子のラブの公転軌道はどのようであるか。
同じ元素で、核磁気モーメントが＋と−になることがある。
例えば、１７１Ｙｂはスピンが１／２で、＋０．４９２５で、１７３Ｙｂはスピンが５／２で、−０．６７９５です。
Ｙｂの陽子の数は７０個で偶数なので、＋０．４９２５の磁気モーメントは中性子の陽子のラブが作ったものです。−０．６７９５の磁気モーメントは中性子の電子のラブが作ったものです。
それで、中性子の陽子の自転軌道と公転軌道が理解できます。
１７１Ｙｂはスピンが１／２で、核磁気モーメントは＋０．４９２５ですから、
Ａ＝０．４９２５です。
中性子の陽子のラブの自転軌道は、
６．６１×１０−２２ｍ×Ａ＝６．６１×１０−２２ｍ×０．４９２５＝３．２５５４×１０−２２ｍです。
公転軌道は、
３．２５５４×１０−２２ｍ×１０８＝３．２５５４×１０−１４ｍです。
中性子の陽子のラブが１自転してできる磁気の光子１個のエネルギーは、
７．９２８５×１０−３８Ｊ×Ａ＝７．９２８５×１０−３８Ｊ×０．４９２５＝３．９×１０−３８Ｊです。
１７３Ｔｈはスピンが５／２で、核磁気モーメントは−０．６７９５です。
スピンが１／２で、−０．１３５９です。
Ａ＝０．１３５９です。
中性子の電子のラブの自転軌道は、
６．１９４１９×１０−２２ｍ×Ａ＝６．１９４１９×１０−２２ｍ×０．１３５９＝０．８４２×１０−２２ｍです。
公転軌道は、
０．８４２×１０−２２ｍ×１０８＝０．８４２×１０−１４ｍです。
中性子の電子のラブが１自転してできる磁気の光子１個のエネルギーは、
３．９６４２５×１０−４１Ｊ×Ａ＝３．９６４２５×１０−４１Ｊ×０．１３５９＝５．３８７４×１０−４２Ｊです。
即ち、Ｙｂの中性子の陽子のラブの公転軌道は３．２５５４×１０−１４ｍで、
中性子の電子のラブの公転軌道は０．８４２×１０−１４ｍですから、Ｙｂの中性子では、陽子のラブの内側を電子のラブは公転しています。
例えば、１９９Ｈｇはスピンが１／２で、＋０．５０２６で、２０１Ｈｇはスピンが３／２で、−０．５５６５です。
Ｈｇの陽子の数は８０個で偶数なので、＋０．５０２６の磁気モーメントは中性子の陽子のラブが作ったものです。−０．５５６５の磁気モーメントは中性子の電子のラブが作ったものです。
それで、中性子の陽子の自転軌道と公転軌道が理解できます。
１９９Ｈｇはスピンが１／２で、核磁気モーメントは＋０．５０２６ですから、
Ａ＝０．５０２６です。
中性子の陽子のラブの自転軌道は、
６．６１×１０−２２ｍ×Ａ＝６．６１×１０−２２ｍ×０．５０２６＝３．３２２×１０−２２ｍです。
公転軌道は、
３．２５５４×１０−２２ｍ×１０８＝３．２５５４×１０−１４ｍです。
中性子のラブが１自転してできる磁気の光子１個のエネルギーは、
７．９２８５×１０−３８Ｊ×Ａ＝７．９２８５×１０−３８Ｊ×０．５０２６＝３．９８５×１０−３８Ｊです。
２０１Ｈｇはスピンが３／２で、核磁気モーメントは−０．５５６５です。
スピンが１／２で、−０．１８５５です。
Ａ＝０．１８５５です。
中性子の電子のラブの自転軌道は、
６．１９４１９×１０−２２ｍ×Ａ＝６．１９４１９×１０−２２ｍ×０．１８５５＝１．１４９×１０−２２ｍです。
公転軌道は、
１．１４９×１０−２２ｍ×１０８＝１．１４９×１０−１４ｍです。
中性子の電子のラブが１自転してできる磁気の光子１個のエネルギーは、
３．９６４２５×１０−４１Ｊ×Ａ＝３．９６４２５×１０−４１Ｊ×０．１８５５＝７．３５４×１０−４２Ｊです。
即ち、Ｈｇの中性子の陽子のラブの公転軌道は３．２５５４×１０−１４ｍで、
中性子の電子のラブの公転軌道は１．１４９×１０−１４ｍですから、Ｈｇの中性子では、陽子のラブの内側を電子のラブは公転しています。
【発明の詳細な説明】
【技術分野】
【０００１】  本発明は中性子と素粒子に関する。
陽子の自転によりできるプラスの核磁気モーメントに開する。
中性子の電子の自転によりできる核磁気モーメントに関する。
中性子の陽子の自転によりできる核磁気モーメントに関する。
核磁気モーメントを作る陽子の自転軌道と、１自転によってできる磁気のエネルギーに関する。
核磁気モーメントを作る中性子の電子の自転軌道と、１自転によってできる磁気のエネルギーに関する。
中性子の中に於ける、陽子の公転軌道と、電子の公転軌道に関する。
【背景技術】
【０００２】  従来、陽子が作る核磁気モーメントは陽子がどれ位の軌道を自転することによってできるのか理解されていない。
中性子の電子が作る核磁気モーメントは電子がどれ位の軌道を自転することによってできるのか理解されていない。
また、陽子が１自転することによって、どれだけの磁気ができるのか理解されていない。
中性子の電子が１自転することによって、どれだけの磁気ができるのか理解されていない。
【発明の開示】
【発明が解決しようとする課題】
【０００３】１．本発明者は、２００５年６月８日提出した特許願「中性子と素粒子２」の２９番で、陽子のラブが１自転してできる磁気の光子１個のエネルギーは、８×１０−３８Ｊです。
陽子の核磁気モーメントを０．７とします。と記した。これは誤りです。
２．本発明者は、２００５年６月８日提出した特許願「中性子と素粒子２」の２２番で、中性子の陽子のラブと電子のラブは、まるで、車の軸と車輪のように一緒になって自転し、公転します。と記した。これは誤りです。
３．マイナスの核磁気モーメントは、中性子の電子のラブの自転によってできる。マイナスの磁気モーメントが大きいのは、中性子の電子のラブの自転速度が速いからです。
４．核磁気モーメントが＋−Ａの場合、ラブが１回自転してできる磁気の光子１個のエネルギーはいくらか。ラブの自転軌道はいくらか。１秒間の磁気の光子の運動量はいくらか。
５．核磁気モーメントが−Ａの場合、中性子の電子のラブが１自転してできる磁気の光子１個のエネルギーはいくらか。中性子の電子のラブの自転軌道はいくらか。
６．核磁子は５．０５×１０−２７Ｊ／Ｔです。この陽子のラブの大きさはいくらか。陽子のラブが１自転でできる磁気の光子１個のエネルギーはいくらか。１秒間の自転数はいくらか。陽子のラブの自転で１秒間にできる磁気の光子のエネルギーはいくらか。陽子のラブの自転で１秒間にできる磁気の光子の運動量はいくらか。
７．中性子のスピンは１／２で、−１．９１３です。中性子電子のラブの公転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。
８．マイナスの核磁気モーメントは１／２スピンで約−０．１から−０．２です。この核磁気モーメントを作る中性子の電子のラブの自転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。
９．プラスの核磁気モーメントの平均は１／２スピンで約＋０．７です。この核磁気モーメントを作る陽子のラブの自転軌道はいくらか。陽子の大きさはいくらか。陽子のラブが１自転でできる磁気の光子１個のエネルギーはいくらか。１秒間の自転数はいくらか。陽子のラブの自転で１秒間にできる磁気の光子のエネルギーはいくらか。陽子のラブの自転で１秒間にできる磁気の光子の運動量はいくらか。
１０．中性子の電子のラブの公転軌道と、陽子のラブの公転軌道を比較し、どのような事が推察できるか。
１１．中性子の陽子のラブの公転軌道と、中性子の電子のラブの公転軌道はどのようであるか。
【課題を解決するための手段】
【０００４】  本発明者は、２００５年６月８日提出した特許願、「中性子と素粒子２」の２９番で、陽子のラブが１自転してできる磁気の光子１個のエネルギーは８×１０−３８Ｊであり、この陽子の磁気モーメントを０．７とした。これは誤りです。
核磁気モーメント１は核磁子５．０５×１０−２７Ｊ／Ｔです。
本発明者は同じ書類の２２番で、中性子の陽子のラブと電子のラブは、まるで車の車軸と車輪のように一緒になって自転し、公転します。と考えたがこれは誤りです。
電子の速度は早く、陽子のラブの速度は遅いです。
ラブが１自転してできる磁気の光子のエネルギー＝ラブの質量エネルギー×自転軌道×８×１０−７です。
１秒間にできる磁気の光子のエネルギー＝ラブの質量エネルギー×自転軌道×８×１０−７×１秒間の自転数＝ラブの質量エネルギー×自転軌道×８×１０−７×秒速÷（３．１４×自転軌道）＝ラブの質量エネルギー×８×１０−７×秒速÷３．１４
中性子の電子のラブの質量エネルギーは陽子の質量エネルギーの２０００分の１ですが、秒速が２０００倍なので、中性子の電子のラブが作る核磁気モーメントと、陽子のラブが作る核磁気モーメントはほぼ同じです。
各元素の中性子の電子のラブが作る核磁気モーメントに差ができるのは、中性子の電子のラブの自転軌道が異なるからです。
各元素の陽子のラブが作る核磁気モーメントに差ができるのは、陽子のラブの自転軌道が異なるからです。
核磁気モーメントがＡの場合、その磁気の光子のエネルギーはどのようにできたのか。
陽子のラブの自転はどれ位で、１自転で、どれだけの磁気の光子ができるのか。
中性子の電子のラブの自転はどれ位で、１自転で、どれだけの磁気の光子ができるのか。
それでは、核磁気モーメントとラブの自転軌道にはどのような関係式があるのか。
核磁気モーメントがＡの場合。
１ｍの軌道に於いて、１秒間の磁気の光子の運動量＝５．０５×１０−３５Ｊ×Ａ×１ｍです。
１秒間にできる磁気の光子のエネルギー−ラブの質量×８×１０−７×秒速÷３．１４です。
ラブが１自転してできる磁気の光子１個のエネルギー＝５．０５×１０−３５Ｊ×Ａ×１ｍ÷秒速×３．１４です。
自転軌道＝５．０５×１０−３５Ｊ×Ａ×１ｍ÷（ラブの質量×８×１０−７×秒速÷３．１４）です。
これらの式から求める事ができる。
中性子において、陽子のラブの公転軌道と電子のラブの公転軌道はどのようになっているのか。
中性子において、陽子のラブの公転軌道と電子のラブの公転軌道は、ＹｂやＨｆやＨｇの＋Ａと−Ａから求められる。
【発明の実施態様】
【０００５】１．  本発明者は、２００５年６月８日に提出した特許願、「中性子と素粒子２」の２９番で、陽子の核磁気モーメントを０．７とすると、中性子の核磁気モーメントはいくらか。
陽子のラブが１自転してできる磁気の光子１個のエネルギーは、８×１０−３８Ｊです。
陽子の核磁気モーメントを０．７とします。と記した。これは誤りです。
核磁気モーメントの単位は核磁子であるからです。
１自転でできる磁気の光子１個のエネルギー８×１０−３８Ｊは、１ｍの軌道で、１秒間にできる磁気の光子の１０８倍の束のエネルギーは５．３６×１０−２７Ｊ／Ｈです。
核磁子は５．０５０８×１０−２７Ｊ／Ｔですから、５．３６×１０−２７Ｊ／Ｔは、
５．３６×１０−２７Ｊ÷（５．０５×１０−２７Ｊ）＝１．０６核磁気モーメントです。
２．  本発明者は、２００５年６月８日に提出した特許願、「中性子と素粒子２」の２２番で、中性子の陽子のラブと電子のラブは、まるで、車の軸と車輪のように一緒になって自転し、公転します。と記した。これは誤りです。
原子の中で、電子のラブの速度は変わらない。
電子のラブの速度は速く、陽子のラブの速度は遅い。
３．  マイナスの核磁気モーメントは、中性子の電子のラブの自転によってできる。マイナスの磁気モーメントが大きいのは、中性子の電子のラブの自転速度が速いからです。
中性子の電子のラブの秒速は、原子の中の電子のラブの秒速に等しい。
中性子の電子のラブの秒速は、４×１０６ｍです。
中性子の陽子のラブの秒速は、原子の中の陽子のラブの秒速に等しい。
中性子の陽子のラブの秒速は、２×１０３ｍです。
それで、電子のラブの１秒間の自転数は、
４×１０６ｍ÷（電子のラブの自転軌道×３．１４）です。
陽子のラブの１秒間の自転数は、
２×１０３ｍ÷（陽子のラブの自転軌道×３．１４）です。
４．  核磁気モーメントが＋−Ａの場合、ラブが１回自転してできる磁気の光子１個のエネルギーはいくらか。ラブの自転軌道はいくらか。１秒間の磁気の光子の運動量はいくらか。
本発明者が、２００５年６月８日に提出した特許願、「中性子と素粒子２」の１９番により、できる磁気の光子１個のエネルギー＝ラブの質量エネルギー×自転軌道×８×１０−７です。
これは、詳しく表現すると、
ラブが１自転してできる磁気の光子１個のエネルギー＝ラブの質量エネルギー×自転軌道×８×１０−７です。
そして、
１秒間の自転数＝秒速÷（３．１４×自転軌道）
軌道１ｍに於ける、１秒間の運動量＝５．０５×１０−２７Ｊ÷１０８×Ａ×１ｍ＝５．０５×１０−３５Ｊ×Ａ×１ｍです。
それで次の式が成立します。
▲１▼
１秒間にできる磁気の光子のエネルギー
＝ラブが１自転してできる磁気の光子１個のエネルギー×１秒間の自転数
＝ラブが１自転してできる磁気の光子１個のエネルギー×秒速÷（３．１４×自転軌道）
＝ラブの質量エネルギー×自転軌道×８×１０−７×秒速÷（３．１４×自転軌道）
＝ラブの質量エネルギー×８×１０−７×秒速÷３．１４
▲２▼
１秒間の運動量
＝ラブが１自転してできる磁気の光子１個のエネルギー×自転軌道×１秒間の自転数
＝ラブが１自転してできる磁気の光子１個のエネルギー×自転軌道×秒速÷（３．１４×自転軌道）
＝ラブが１自転してできる磁気の光子１個のエネルギー×秒速÷３．１４
＝５．０５×１０−３８Ｊ×Ａ×１ｍ
▲３▼
１秒間の自転数
＝秒速÷（３．１４×自転軌道）
▲４▼
ラブが１自転してできる磁気の光子１個のエネルギー
＝１秒間の運動量÷秒速×３．１４
＝５．０５×１０−３５Ｊ×Ａ×１ｍ÷秒速×３．１４
（即ち、ラブが１自転してできる磁気の光子１個のエネルギーは秒速に反比例する。）
▲５▼
１秒間にできる磁気の光子のエネルギー
＝ラブが１自転してできる磁気の光子１個のエネルギー×１秒間の自転数
＝ラブが１自転してできる磁気の光子１個のエネルギー×秒速÷（３．１４×自転軌道）
▲６▼
自転軌道
＝ラブが１自転してできる磁気の光子１個のエネルギー÷１秒間にできる磁気の光子のエネルギー×秒速÷３．１４
＝５．０５×１０−３５Ｊ×Ａ×１ｍ÷秒速×３．１４÷（ラブの質量エネルギー×８×１０−７×秒速÷３．１４）×秒速÷３．１４
＝５．０５×１０−３５Ｊ×Ａ×１ｍ÷（ラブの質量エネルギー×８×１０−７×秒速÷３．１４）
＝１．９８２×１０−２８Ｊ÷ラブの質量エネルギー÷秒速
（即ち、自転軌道はラブの質量エネルギーと秒速に反比例する。）
これらの式から、核磁気モーメントがＡの場合、ラブが１自転してできる磁気の光子１個のエネルギーとラブの自転軌道と１秒間の運動量を求める事ができる。
５．  核磁気モーメントが−Ａの場合、中性子の電子のラブが１自転してできる磁気の光子１個のエネルギーはいくらか。中性子の電子のラブの自転軌道はいくらか。
核磁気モーメントが＋Ａの場合、陽子のラブが１自転してできる磁気の光子１個のエネルギーはいくらか。陽子のラブの自転軌道はいくらか。図１
核磁気モーメントが−Ａで、中性子の電子のラブの場合。
電子のラブの質量エネルギーは８×１０−１４Ｊで、秒速は４×１０６ｍですから、
１秒間にできる磁気の光子のエネルギー
＝ラブの質量エネルギー×８×１０−７×秒速÷３．１４
＝８×１０−１４Ｊ×８×１０−７×４×１０６ｍ÷３．１４＝８．１５２８×１０−１４Ｊ
電子のラブが１自転してできる磁気の光子１個のエネルギー
＝５．０５×１０−３５Ｊ×Ａ×１ｍ÷秒速×３．１４
＝５．０５×１０−３５Ｊ×Ａ×１ｍ÷（４×１０６ｍ）×３．１４
＝３．９６４２５×１０−４１Ｊ×Ａ
自転軌道
＝ラブが１自転してできる磁気の光子１個のエネルギー÷１秒間にできる磁気の光子のエネルギー×秒速÷３．１４
＝３．９６４２５×１０−４１Ｊ×Ａ÷（８．１５２８×１０−１４Ｊ）×４×１０６ｍ÷３．１４
＝６．１９４１９×１０−２２ｍ×Ａ
核磁気モーメントが＋Ａで、陽子のラブの場合。
陽子のラブの質量エネルギーは１．５×１０−１０Ｊで、秒速は２×１０３ｍですから、
１秒間にできる磁気の光子のエネルギー
＝ラブの質量エネルギー×８×１０−７×秒速÷３．１４
＝１．５×１０−１０Ｊ×８×１０−７×２×１０３ｍ÷３．１４＝７．６４３×１０−１４Ｊ
陽子のラブが１自転してできる磁気の光子１個のエネルギー
＝５．０５×１０−３５Ｊ×Ａ×１ｍ÷秒速×３．１４
＝５．０５×１０−３５Ｊ×Ａ×１ｍ÷（２×１０３ｍ）×３．１４
＝７．９２８５×１０−３８Ｊ×Ａ
自転軌道
＝ラブが１自転してできる磁気の光子１個のエネルギー÷１秒間にできる磁気の光子のエネルギー×秒速÷３．１４
＝７．９２８５×１０−３８Ｊ×Ａ÷（７．６４３×１０−１４Ｊ）×２×１０３ｍ÷３．１４
＝６．６１×１０−２２ｍ×Ａ
即ち、中性子の電子のラブでできる核磁気モーメントが−Ａの場合、
１自転でできる磁気の光子１個のエネルギーは、
３．９６４２５×１０−４１Ｊ×Ａです。
自転軌道は、
６．１９４１９×１０−２２ｍ×Ａです。
即ち、陽子のラブでできる核磁気モーメントが＋Ａの場合、
１自転でできる磁気の光子１個のエネルギーは、
７．９２８５×１０−３８Ｊ×Ａです。
自転軌道は、
６．６１×１０−２２ｍ×Ａです。
６．  核磁子は５．０５×１０−２７Ｊ／Ｔです。この陽子のラブの大きさはいくらか。陽子のラブが１自転でできる磁気の光子１個のエネルギーはいくらか。１秒間の自転数はいくらか。陽子のラブの自転で１秒間にできる磁気の光子のエネルギーはいくらか。陽子のラブの自転で１秒間にできる磁気の光子の運動量はいくらか。図２
核磁子は５．０５×１０−２７Ｊ／Ｔです。この核磁気モーメントは１です。
Ａ＝１です。
陽子のラブでできる核磁気モーメントが１の場合、
１自転でできる磁気の光子１個のエネルギーは、
７．９２８５×１０−３８Ｊ×Ａ＝７．９２８５×１０−３８Ｊです。
自転軌道は、
６．６１×１０−２２ｍ×Ａ＝６．６１×１０−２２ｍです。
即ち、陽子のラブの自転は、６．６１×１０−２２ｍです。
陽子のラブの公転は、６．６１×１０−２２ｍ×１０８＝６．６１×１０−１４ｍです。
陽子の大きさは、陽子のラブの公転の大きさとみなす事ができますから、６．６１×１０−１４ｍです。
陽子のラブが１自転でできる磁気の光子１個のエネルギーは７．９２８５×１０−３８Ｊです。
１秒間の自転数は、
２×１０３ｍ÷（３．１４×６．６１×１０−２２ｍ）＝９．６３６×１０２３回です。
陽子のラブの自転で１秒間にできる磁気の光子のエネルギーは、
陽子のラブが１自転でできる磁気の光子１個のエネルギー×１秒間の自転数
＝７．９２８５×１０−３８Ｊ×９．６３６×１０２３回＝７．６４×１０−１４Ｊです。
陽子のラブの自転で１秒間にできる磁気の光子の運動量は、
陽子のラブが１自転でできる磁気の光子１個のエネルギー×自転軌道×１秒間の自転数
＝７．９２８５×１０−３８Ｊ×６．６１×１０−２２ｍ×９．６３６×１０２３回
＝５．０５×１０−３５Ｊ・ｍです。
陽子のラブの自転で、１秒間にできる磁気の光子の運動量は、
５．０５×１０−３８Ｊ×Ａ×１ｍ＝５．０５×１０−３８Ｊ・ｍです。
７．  中性子のスピンは１／２で、−１．９１３です。中性子電子のラブの公転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。図３
中性子の核磁気モーメントは−１．９１３です。
Ａ＝１．９１３です。
中性子の電子のラブが１自転でできる磁気の光子１個のエネルギーは、
３．９６４２５×１０−４１Ｊ×Ａ＝３．９６４２５×１０−４１Ｊ×１．９１３＝７．５８３×１０−４１Ｊです。
自転軌道は、
６．１９４１９×１０−２２ｍ×Ａ＝６．１９４１９×１０−２２ｍ×１．９１３＝１．１８５×１０−２１ｍです。
即ち、中性子の電子のラブの自転軌道は、１．１８５×１０−２１ｍです。
中性子の電子のラブの公転軌道は、１．１８５×１０−２１ｍ×１０８＝１．１８５×１０−１３ｍです。
中性子の大きさは、中性子の電子のラブの公転の大きさとみなす事ができますから、１．１８５×１０−１３ｍです。
１秒間の自転数は、
４×１０６ｍ÷（３．１４×１．１８５×１０−２１ｍ）＝１．０７５×１０２７回です。
中性子の電子のラブが１自転でできる磁気の光子１個のエネルギーは７．５８３×１０−４１Ｊです。
中性子の電子のラブの自転で１秒間にできる磁気の光子のエネルギーは、
中性子の電子のラブが１自転でできる磁気の光子１個のエネルギー×１秒間の自転数
＝７．５８３×１０−４１Ｊ×１．０７５×１０２７回＝８．１５１８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝７．５８３×１０−４１Ｊ×１．１８５×１０−２１ｍ×１．０７５×１０２７回
＝９．６６×１０−３５Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×１．９１３×１ｍ＝９．６６×１０−３５Ｊ・ｍです。
核磁子、中性子、陽子のラブ、中性子の電子のラブ、中性子の陽子のラブについて表にまとめる。
2006081386.tif 000003
2006081386.tif 000004
2006081386.tif 000005
８．  マイナスの核磁気モーメントは１／２スピンで約−０．１から−０．２のものが多い。この核磁気モーメントを作る中性子の電子のラブの自転軌道はいくらか。中性子の電子のラブが１自転でできる磁気の光子１個のエネルギーはいくらか。１秒間の自転数はいくらか。中性子の電子のラブの自転で１秒間にできる磁気の光子のエネルギーはいくらか。中性子の電子のラブの自転で１秒間にできる磁気の光子の運動量はいくらか。図４
核磁気モーメントが−０．１の場合。
Ａ＝０．１です。
中性子の電子のラブが１自転でできる磁気の光子１個のエネルギーは、
３．９６４２５×１０−４１Ｊ×Ａ＝３．９６４２５×１０−４１Ｊ×０．１＝３．９６４２５×１０−４２Ｊです。
自転軌道は、
６．１９４１９×１０−２２ｍ×Ａ＝６．１９４１９×１０−２２ｍ×０．１＝６．１９４１９×１０−２３ｍです。
即ち、中性子の電子のラブの自転軌道は、６．１９４１９×１０−２３ｍです。
中性子の電子のラブの公転軌道は、６．１９４１９×１０−２３ｍ×１０８＝６．１９４１９×１０−１５ｍです。
１秒間の自転数は、
４×１０６ｍ÷（３．１４×６．１９４１９×１０−２３ｍ）＝２．０５６５８×１０２８回です。
中性子の電子のラブが１自転でできる磁気の光子１個のエネルギーは３．９６４２５×１０−４２Ｊです。
中性子の電子のラブの自転で１秒間にできる磁気の光子のエネルギーは、
中性子の電子のラブが１自転でできる磁気の光子１個のエネルギー×１秒間の自転数
＝３．９６４２５×１０−４２Ｊ×２．０５６５８×１０２８回＝８．１５２８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝３．９６４２５×１０−４２Ｊ×６．１９４１９×１０−２３ｍ×２．０５６５８×１０２８回
＝５．０５×１０−３６Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×０．１×１ｍ＝５．０５×１０−３６Ｊ・ｍです。
核磁気モーメントが−０．２の場合。
Ａ＝０．２です。
中性子の電子のラブが１自転でできる磁気の光子１個のエネルギーは、
３．９６４２５×１０−４１Ｊ×Ａ＝３．９６４２５×１０−４１Ｊ×０．２＝７．９２８５×１０−４２Ｊです。
自転軌道は、
６．１９４１９×１０−２２ｍ×Ａ＝６．１９４１９×１０−２２ｍ×０．２＝１．２３８８４×１０−２２ｍです。
即ち、中性子の電子のラブの自転軌道は、１．２３８８４×１０−２２ｍです。
中性子の電子のラブの公転軌道は、１．２３８８４×１０−２２ｍ×１０８＝１．２３８８４×１０−１４ｍです。
１秒間の自転数は、
４×１０６ｍ÷（３．１４×１．２３８８４×１０−２２ｍ）＝１．０２８２９×１０２８回です。
中性子の電子のラブが１自転でできる磁気の光子１個のエネルギーは７．９２８５×１０−４２Ｊです。
中性子の電子のラブの自転で１秒間にできる磁気の光子のエネルギーは、
中性子の電子のラブが１自転でできる磁気の光子１個のエネルギー×１秒間の自転数
＝７．９２８５×１０−４２Ｊ×１．０２８２９×１０２８回＝８．１５２８×１０−１４Ｊです。
中性子の電子のラブの自転で１秒間にできる磁気の光子の運動量は、
中性子の電子のラブが１自転でできる磁気の光子１個のエネルギー×自転軌道×１秒間の自転数
＝７．９２８５×１０−４２Ｊ×１．２３８８４×１０−２２ｍ×１．０２８２９×１０２８回
＝１．０１×１０−３５Ｊ・ｍです。
中性子の電子のラブの自転で、１ｍの軌道において、１秒間にできる磁気の光子の運動量は、
５．０５×１０−３５Ｊ×Ａ×１ｍですから、
５．０５×１０−３５Ｊ×０．２×１ｍ＝１．０１×１０−３５Ｊ・ｍです。
９．  プラスの核磁気モーメントの平均は１／２スピンで約＋０．７です。この核磁気モーメントを作る陽子のラブの自転軌道はいくらか。陽子の大きさはいくらか。陽子のラブが１自転でできる磁気の光子１個のエネルギーはいくらか。１秒間の自転数はいくらか。陽子のラブの自転で１秒間にできる磁気の光子のエネルギーはいくらか。陽子のラブの自転で１秒間にできる磁気の光子の運動量はいくらか。図５
陽子のラブでできる核磁気モーメントが＋０．７の場合。
Ａ＝０．７です。
１自転でできる磁気の光子１個のエネルギーは、
７．９２８５×１０−３８Ｊ×Ａ＝７．９２８５×１０−３８Ｊ×０．７＝５．５５×１０−３８Ｊです。
自転軌道は、
６．６１×１０−２２ｍ×Ａ＝６．６１×１０−２２ｍ×０．７＝４．６２７×１０−２２ｍです。
即ち、陽子のラブの自転軌道は、４．６２７×１０−２２ｍです。
陽子のラブの公転軌道は、４．６２７×１０−２２ｍ×１０８＝４．６２７×１０−１４ｍです。
陽子の大きさは、陽子のラブの公転の大きさとみなす事ができますから、４．６２７×１０−１４ｍです。
陽子のラブが１自転でできる磁気の光子１個のエネルギーは５．５５×１０−３８Ｊです。
１秒間の自転数は、
２×１０３ｍ÷（３．１４×４．６２７×１０−２２ｍ）＝１．３７６６×１０２４回です。
陽子のラブの自転で１秒間にできる磁気の光子のエネルギーは、
陽子のラブが１自転でできる磁気の光子１個のエネルギー×１秒間の自転数
＝５．５５×１０−３８Ｊ×１．３７６６×１０２４回＝７．６４×１０−１４Ｊです。
陽子のラブの自転で１秒間にできる磁気の光子の運動量は、
陽子のラブが１自転でできる磁気の光子１個のエネルギー×自転軌道×１秒間の自転数
＝５．５５×１０−３８Ｊ×４．６２７×１０−２２ｍ×１．３７６６×１０２４回
＝３．５３５×１０−３５Ｊ・ｍです。
陽子のラブの自転で、１ｍの軌道において、１秒間にできる磁気の光子の運動量は、
５．０５×１０−３５Ｊ×Ａ×１ｍですから、
５．０５×１０−３５Ｊ×０．７×１ｍ＝３．５３５×１０−３５Ｊ・ｍです。
１０．  中性子の電子のラブの公転軌道と、陽子のラブの公転軌道を比較し、どのような事が推察できるか。
核磁気モーメントが＋０．７の場合、陽子のラブの公転軌道は４．６２７×１０−１４ｍです。
核磁気モーメントが−０．１の場合、中性子の電子のラブの公転軌道は６．１９４１９×１０−１５ｍです。
核磁気モーメントが−０．２の場合、中性子の電子のラブの公転軌道は１．２３８８４×１０−１４ｍです。
この事から、中性子の電子のラブの公転軌道は陽子のラブの公転軌道より小さい。
それで、中性子は、陽子のラブの公転軌道の内側を、電子のラブは公転していると考えられる。
１１．  中性子の陽子のラブの公転軌道と、中性子の電子のラブの公転軌道はどのようであるか。図６
同じ元素で、核磁気モーメントが＋と−になることがある。
例えば、１７１Ｙｂはスピンが１／２で、＋０．４９２５で、１７３Ｙｂはスピンが５／２で、−０．６７９５です。
Ｙｂの陽子の数は７０個で偶数なので、＋０．４９２５の磁気モーメントは中性子の陽子のラブが作ったものです。−０．６７９５の磁気モーメントは中性子の電子のラブが作ったものです。
それで、中性子の陽子の自転軌道と公転軌道が理解できます。
１７１Ｙｂはスピンが１／２で、核磁気モーメントは＋０．４９２５ですから、
Ａ＝０．４９２５です。
中性子の陽子のラブの自転軌道は、
６．６１×１０−２２ｍ×Ａ＝６．６１×１０−２２ｍ×０．４９２５＝３．２５５４×１０−２２ｍです。
公転軌道は、
３．２５５４×１０−２２ｍ×１０８＝３．２５５４×１０−１４ｍです。
中性子の陽子のラブが１自転してできる磁気の光子１個のエネルギーは、
７．９２８５×１０−３８Ｊ×Ａ＝７．９２８５×１０−３８Ｊ×０．４９２５＝３．９×１０−３８Ｊです。
１７３Ｙｂはスピンが５／２で、核磁気モーメントは−０．６７９５です。
スピンが１／２で、−０．１３５９です。
Ａ＝０．１３５９です。
中性子の電子のラブの自転軌道は、
６．１９４１９×１０−２２ｍ×Ａ＝６．１９４１９×１０−２２ｍ×０．１３５９＝０．８４２×１０−２２ｍです。
公転軌道は、
０．８４２×１０−２２ｍ×１０８＝０．８４２×１０−１４ｍです。
中性子の電子のラブが１自転してできる磁気の光子１個のエネルギーは、
３．９６４２５×１０−４１Ｊ×Ａ＝３．９６４２５×１０−４１Ｊ×０．１３５９＝５．３８７４×１０−４２Ｊです。
即ち、Ｙｂの中性子の陽子のラブの公転軌道は３．２５５４×１０−１４ｍで、
中性子の電子のラブの公転軌道は０．８４２×１０−１４ｍですから、
Ｙｂの中性子では、陽子のラブの内側を電子のラブは公転しています。
例えば、１９９Ｈｇはスピンが１／２で、＋０．５０２６で、２０１Ｈｇはスピンが３／２で、−０．５５６５です。
Ｈｇの陽子の数は８０個で偶数なので、＋０．５０２６の磁気モーメントは中性子の陽子のラブが作ったものです。−０．５５６５の磁気モーメントは中性子の電子のラブが作ったものです。
それで、中性子の陽子の自転軌道と公転軌道が理解できます。
１９９Ｈｇはスピンが１／２で、核磁気モーメントは＋０．５０２６ですから、
Ａ＝０．５０２６です。
中性子の陽子のラブの自転軌道は、
６．６１×１０−２２ｍ×Ａ＝６．６１×１０−２２ｍ×０．５０２６＝３．３２２×１０−２２ｍです。
公転軌道は、
３．２５５４×１０−２２ｍ×１０８＝３．２５５４×１０−１４ｍです。
中性子の陽子のラブが１自転してできる磁気の光子１個のエネルギーは、
７．９２８５×１０−３８Ｊ×Ａ＝７．９２８５×１０−３８Ｊ×０．５０２６＝３．９８５×１０−３８Ｊです。
２０１Ｈｇはスピンが３／２で、核磁気モーメントは−０．５５６５です。
スピンが１／２で、−０．１８５５です。
Ａ＝０．１８５５です。
中性子の電子のラブの自転軌道は、
６．１９４１９×１０−２２ｍ×Ａ＝６．１９４１９×１０−２２ｍ×０．１８５５＝１．１４９×１０−２２ｍです。
公転軌道は、
１．１４９×１０−２２ｍ×１０８＝１．１４９×１０−１４ｍです。
中性子の電子のラブが１自転してできる磁気の光子１個のエネルギーは、
３．９６４２５×１０−４１Ｊ×Ａ＝３．９６４２５×１０−４１Ｊ×０．１８５５＝７．３５４×１０−４２Ｊです。
即ち、Ｈｇの中性子の陽子のラブの公転軌道は３．２５５４×１０−１４ｍで、中性子の電子のラブの公転軌道は１．１４９×１０−１４ｍですから、
Ｈｇの中性子では、陽子のラブの内側を電子のラブは公転しています。
【発明の効果】
【０００６】１．核磁気モーメントにより、その元素の陽子のラブの自転軌道が解る。
２．核磁気モーメントにより、その元素の中性子の電子のラブの自転軌道が解る。
３．核磁気モーメントにより、その元素の中性子の陽子のラブの自転軌道が解る。
４．自転軌道により、公転軌道が解るので、その元素の陽子の大きさや、中性子の大きさがわかる。
５．ＹｂやＨｆやＨｇは陽子の数が偶数ですから、＋の核磁気モーメントは、中性子の陽子のラブの自転によってできたと考えられる。それで、中性子の陽子のラブの自転軌道と公転軌道が解る。−の核磁気モーメントは、中性子の電子のラブの自転によってできたと考えられる。それで、中性子の電子のラブの自転軌道と公転軌道が解る。
この事により、中性子では、陽子のラブの内側を電子のラブは自転し公転している事が理解できた。
【図面の簡単な説明】
【０００７】
【図１】核磁気モーメントが−Ａで、中性子の電子のラブの場合。電子のラブが１自転してできる磁気の光子１個のエネルギーは３．９６４２５×１０−４１Ｊ×Ａです。自転軌道は６．１９４１９×１０−２２ｍ×Ａです。公転軌道は６．１９４１９×１０−１４ｍ×Ａです。核磁気モーメントが＋Ａで、陽子のラブの場合。１自転でできる磁気の光子１個のエネルギーは、７．９２８５×１０−３８Ｊ×Ａです。自転軌道は、６．６１×１０−２２ｍ×Ａです。公転軌道は、６．６１×１０−１４ｍ×Ａです。
【図２】核磁子は５．０５×１０−２７Ｊ／Ｔの場合。１自転でできる磁気の光子１個のエネルギーは７．９２８５×１０−３８Ｊです。自転軌道は６．６１×１０−２２ｍです。公転軌道は６．６１×１０−１４ｍです。
【図３】中性子の場合。中性子の電子のラブが１自転でできる磁気の光子１個のエネルギーは７．５８３×１０−４１Ｊです。自転軌道は１．１８５×１０−２１ｍです。公転軌道は１．１８５×１０−１３ｍです。
【図４】核磁気モーメントが−０．１の場合。中性子の電子のラブが１自転でできる磁気の光子１個のエネルギーは３．９６４２５×１０−４２Ｊです。自転軌道は６．１９４１９×１０−２３ｍです。公転軌道は６．１９４１９×１０−１５ｍです。核磁気モーメントが−０．２の場合。中性子の電子のラブが１自転でできる磁気の光子１個のエネルギーは７．９２８５×１０−４２Ｊです。自転軌道は１．２３８８４×１０−２２ｍです。公転軌道は１．２３８８４×１０−１４ｍです。
【図５】陽子のラブでできる核磁気モーメントが＋０．７の場合。１自転でできる磁気の光子１個のエネルギーは、５．５５×１０−３８Ｊです。自転軌道は４．６２７×１０−２２ｍです。公転軌道は４．６２７×１０−１４ｍです。
【図６】１７１Ｙｂの場合。中性子の陽子のラブが１自転してできる磁気の光子１個のエネルギーは３．９×１０−３８Ｊです。自転軌道は３．２５５４×１０−２２ｍです。公転軌道は３．２５５４×１０−１４ｍです。１７３Ｙｂの場合。中性子の電子のラブが１自転してできる磁気の光子１個のエネルギーは５．３８７４×１０−４２Ｊです。自転軌道は０．８４２×１０−２２ｍです。公転軌道は０．８４２×１０−１４ｍです。１９９Ｈｇの場合。中性子の陽子のラブが１自転してできる磁気の光子１個のエネルギーは３．９８５×１０−３８Ｊです。自転軌道は３．３２２×１０−２２ｍです。公転軌道は３．２５５４×１０−１４ｍです。２０１Ｈｇの場合。中性子の電子のラブが１自転してできる磁気の光子１個のエネルギーは７．３５４×１０−４２Ｊです。自転軌道は１．１４９×１０−２２ｍです。公転軌道は１．１４９×１０−１４ｍです。
【符号の説明】
１  中性子の電子のラブ
２  陽子のラブ
３  自転軌道
４  公転軌道
５１７１Ｙｂの中性子の陽子のラブ
６１７３Ｙｂの中性子の電子のラブ
７１９９Ｈｇの中性子の陽子のラブ
８２０１Ｈｇの中性子の電子のラブ
【図１】
2006081386.tif 000006
【図２】
2006081386.tif 000007
【図３】
2006081386.tif 000008
【図４】
2006081386.tif 000009
【図５】
2006081386.tif 000010
【図６】
2006081386.tif 000011